(57)【要約】【課題】防災無線システムなどの無線通信装置に関し、表示画面１を備えた無線通信装置において、例えば、表示画面１が壊れた場合などにおいても、自装置（無線通信装置）の状態を効果的に報知する。【解決手段】表示画面１を備えた無線通信装置において、状態検出手段が当該無線通信装置に関する状態を検出し、故障検出手段が表示画面１が故障したことを検出し、状態報知手段が故障検出手段により表示画面１が故障したことが検出された場合に状態検出手段により検出された状態に関する情報を表示画面１以外で報知する。これにより、例えば、表示画面１が壊れた場合などにおいても、自装置（無線通信装置）の状態を効果的に報知することができる。【選択図】  図１
2010226160.tif 000002
【特許請求の範囲】
【請求項１】
表示画面を備えた無線通信装置において、
当該無線通信装置に関する状態を検出する状態検出手段と、
前記表示画面が故障したことを検出する故障検出手段と、
前記故障検出手段により前記表示画面が故障したことが検出された場合に、前記状態検出手段により検出された状態に関する情報を前記表示画面以外で報知する状態報知手段と、
を備えたことを特徴とする無線通信装置。
【発明の詳細な説明】
【技術分野】
【０００１】
本発明は、例えば防災無線システムなどの無線通信装置に関し、特に、表示画面が壊れた場合などにおいても、自装置の状態を効果的に報知する無線通信装置に関する。
【背景技術】
【０００２】
例えば、自営系無線システムでは、公衆系（モバイル：携帯電話）にない複数の通信モードが存在するため、使用者がその通信モードを意識した使い勝手となる。
図８には、具体例として、都道府県・市町村デジタル移動通信システム（社団法人電波産業会が策定したＡＲＩＢ  ＳＴＤ−Ｔ７９）で、無線通信システムを使用した自営系システムの構成例を示してある。
【０００３】
図９には、移動局装置の構成例を示してある。
本例の移動局装置は、アンテナ２０１、スイッチ（ＳＷ）２０２、スイッチ（ＳＷ）２０３、フィルタ（ＦＩＬ）２０４、低雑音増幅器（ＬＮＡ）２０５、フィルタ（ＦＩＬ）２０６、低雑音増幅器（ＬＮＡ）２０７、スイッチ（ＳＷ）２０８、電圧制御発振器（ＶＣＯ）２０９、ミキサ（ＭＩＸ）２１０、復調器（ＤＥＭ）２１１、位相ロックループ（ＰＬＬ）部２１２、位相ロックループ（ＰＬＬ）部２１３、電圧制御発振器（ＶＣＯ）２１４、復調器（ＭＯＤ）２１５、増幅器（ＡＭＰ）２１６、電力増幅器（ＰＡ）２１７、アイソレータ（ＩＳＯ）２１８、フィルタ（ＦＩＬ）２１９、電源２２０、温度補償型水晶発振器（ＴＣＸＯ）２２１、ＲＦインタフェース（ＲＦ  Ｉ／Ｆ）部３０１、ＦＰＧＡ３０２、ＤＳＰ３０３、ＭＰＵ３０４、リセット（Ｒｅｓｅｔ）ＩＣ３０５、音声コーデック（ＣＯＤＥＣ）３０６、フラッシュ（ＦＬＡＳＨ）メモリ３０７、ＳＲＡＭ３０８、コンフィギュレーション（Ｃｆｇ）ＲＯＭ３０９、音声インタフェース装置（ＡＩＵ）３１０、フロントパネルインタフェース（Ｉ／Ｆ）３１１、電源３１２、スピーカ４０１、レシーバ４０２、マイク４０３、液晶ディスプレイ（ＬＣＤ）４０４、テンキー（１０キー）４０５、ＰＴＴ（Ｐｒｅｓｓ−Ｔｏ−Ｔａｌｋ）のスイッチ（ＳＷ）４０６、電池パック４０７を備えている。
【０００４】
図１０には、通信モードの種類の例を示してある。
本例では、（１）一斉通信着呼のモード、（２）統制通信着呼のモード、（３）緊急連絡発呼のモード、（４）応援通信発着呼のモード、（５）専用チャネル（ＣＨ）通信のモード、（６）個別通信のモード、（７）グループ通信のモード、（８）非音声通信のモード、のそれぞれの項目について内容を示してある。
【０００５】
ここで、基地局間通信、直接通信、専用チャネル通信などの通信モードについては、移動局装置側でユーザが切り替える必要があることから、このような複数の通信モードが存在し且つ携帯電話ライクな使用のシーンを想定した場合には  画面表示機能部は必須となり多くの情報を表示することが必要となる。
【０００６】
しかしながら、ここに大きな技術的問題がある。現在の携帯電話と同様に、自営系の無線機についても、高機能型になればなるほど、画面表示機能部を大きくし、グラフィカルインタフェース（ＧＵＩ）等を用いて使い易さを向上している。逆に言えば、画面表示機能部がないと成り立たない（使えない）とも言える。
図１１には、代表的なアイコンの表示例として、（１）電池アイコンの表示例、（２）アンテナアイコン／圏外の表示例、（３）通信モードアイコン（直接通信）の表示例を示してある。
【０００７】
自営系無線システムの場合には、業務連絡用途、緊急通信連絡用途、災害時の連絡用途などの目的が大半であり、いざという時に（有事の際に）使用できることが肝要である。
但し、上述のように現在では画面表示機能部は大型化しており、例えば、「割れる」、「表示されない」などの故障モードのポテンシャルが高い方向となっている。
【０００８】
例えば、画面表示機能部が動作していない時には、ユーザが操作方法を完全に暗記していないと、電話をかけることができないという問題点や、圏内／圏外等の表示もないために、自分（自装置）が通話できる状態にあるかどうかを判別することができないという問題点があった。
これらの問題点を解決するために、一例として、移動局装置の状態を報知するための専用ボタンを装備して、これにより報知を行うという提案があるが、このような専用ボタンは、小型化・軽量化を優先する移動無線機では問題となることが考えられる。
【先行技術文献】
【特許文献】
【０００９】
【特許文献１】特開平１１−１２２６４９号公報
【発明の概要】
【発明が解決しようとする課題】
【００１０】
上述のような問題点があったため、従来では、更に機能性の高い無線機を開発することが要求されていた。具体的には、画面表示機能部が動作していない時には圏内／圏外等の表示もないために自分が通話できる状態にあるかどうかを判別することができないという問題点や、専用ボタンの存在が小型化・軽量化を阻害する可能性があるという問題点を解消することが要求されていた。
【００１１】
以下で、更に、課題について詳しく説明する。
本発明は、特に、業務連絡用途、災害緊急連絡用途などの目的で用いられる防災無線システム（例えば、社団法人電波産業会が策定したＡＲＩＢ  ＳＴＤ−Ｔ７９の都道府県・市町村デジタル移動通信システム）に適用して好適なものである。防災無線システムでは、いざという有事の際に使用できることが肝心である。
【００１２】
しかしながら、防災無線システムには、基地局装置を介した通信を行う通常の基地局通信モードに加えて、端末装置（例えば、移動局装置）間の直接通信モード等、複数の通信モードが存在しており、通信モード毎に操作内容や接続可能な通信相手が変わる。
従って、無線通信装置の表示画面が壊れると、ユーザは、圏内／圏外の情報やバッテリ残量の情報に加えて、現在の通信モード等も把握することができなくなってしまい、仮に当該無線通信装置の操作方法を覚えていたとしても、通信モードがわからなければ無線通信装置を正確に操作することができない。
【００１３】
また、防災無線システムは、非常時に多用されるため、普段は使い慣れていない役所の職員や民間人が使用することが想定され、その場合には、特に、表示画面が壊れて無線通信装置の状態を把握できないという弊害の影響はより大きくなってしまう。
なお、特許文献１の技術は、圏外又は圏内への状態変化を通知するものであることから、表示画面の故障中に自動通知を聞き逃してしまうと、ユーザは現在の無線通信装置の状態を知ることはできない。
【００１４】
本発明は、このような従来の事情に鑑み為されたもので、表示画面が壊れた場合などにおいても、自装置の状態を効果的に報知することができる無線通信装置を提供することを目的とする。
【課題を解決するための手段】
【００１５】
上記目的を達成するため、本発明では、表示画面を備えた無線通信装置において、次のような構成とした。
すなわち、状態検出手段が、当該無線通信装置に関する状態を検出する。故障検出手段が、前記表示画面が故障したことを検出する。状態報知手段が、前記故障検出手段により前記表示画面が故障したことが検出された場合に、前記状態検出手段により検出された状態に関する情報を、前記表示画面以外で、報知する。
【００１６】
従って、表示画面が故障した場合には、それ以外の方法で、無線通信装置に関する情報が報知されるため、例えば、表示画面が壊れた場合などにおいても、自装置（無線通信装置）の状態を効果的に報知することができる。
また、無線通信装置に関する状態を報知するための専用ボタンは、必ずしも備えられなくてもよいため、装置の小型化・軽量化に適している。
【００１７】
ここで、無線通信装置としては、種々なものが用いられてもよい。
また、表示画面としては、種々なものが用いられてもよい。
また、無線通信装置に関する状態としては、種々なものが用いられてもよい。
また、表示画面が故障したことを検出する方法としては、種々なものが用いられてもよく、例えば、電流等の監視、ドライバの監視などを用いることができ、また、温度等に応じて表示内容が見づらくなるようなことがある場合には、温度等が所定の条件となったときに表示画面が故障したとみなす態様が用いられてもよい。
また、故障した表示画面以外で報知を行う態様としては、種々なものが用いられてもよく、例えば、音声や音や光などを用いて報知を行うことが可能である。
また、表示画面の故障時における状態（無線通信装置に関する状態）に関する情報の報知は、例えば、所定の周期などで繰り返して行われると、ユーザにより気付き易いため有効である。
【発明の効果】
【００１８】
以上説明したように、本発明に係る無線通信装置によると、例えば、表示画面が壊れた場合などにおいても、自装置の状態を効果的に報知することができる。また、無線通信装置に関する状態を報知するための専用ボタンは、必ずしも備えられなくてもよいため、装置の小型化・軽量化に適している。
【図面の簡単な説明】
【００１９】
【図１】本発明の一実施例に係る無線通信装置の外観の構成例を示す図である。
【図２】（ａ）は無線通信装置の内部構成の一例を示す図であり、（ｂ）はＬＣＤの故障判別処理の動作フローの一例を示す図である。
【図３】ＬＣＤの故障の有無に応じてガイダンスを行う処理の動作フローの一例を示す図である。
【図４】ＬＣＤの故障時にキーの押下に応じてＬＥＤの点灯により状態を報知する処理の動作フローの一例を示す図である。
【図５】（ａ）、（ｂ）、（ｃ）は無線通信装置に関する状態の報知内容の例を示す図である。
【図６】本発明の一実施例に係る無線機の構成例を示す図である。
【図７】ＬＥＤを制御する処理の動作フローの一例を示す図である。
【図８】自営系システムの構成例を示す図である。
【図９】移動局装置の構成例を示す図である。
【図１０】通信モードの種類の例を示す図である。
【図１１】アイコンの表示例を示す図である。
【発明を実施するための形態】
【００２０】
本発明に係る実施例を図面を参照して説明する。
【実施例１】
【００２１】
本発明の第１実施例を説明する。
図１には、本発明の一実施例に係る無線通信装置の外観の構成例を示してある。
本例の無線通信装置は、例えばユーザにより携帯される或いは車載型等の移動局装置（端末装置）として使用されることが可能であり、主な構成部として、液晶ディスプレイ（ＬＣＤ：Ｌｉｑｕｉｄ  Ｃｒｙｓｔａｌ  Ｄｉｓｐｌａｙ）からなる表示画面１、複数のキーからなる操作キー２、プレストークスイッチ３、状態報知用の専用ボタン４、スピーカ／レシーバ５、マイク６、アンテナ取り付け部７、ＬＥＤ（Ｌｉｇｈｔ  Ｅｍｉｔｔｉｎｇ  Ｄｉｏｄｅ）８ａ，８ｂを備えている。
なお、本例では、状態報知用の専用ボタン４を備えた構成例を示すが、他の構成例として、状態報知用の専用ボタン４を備えない無線通信装置の構成が用いられてもよい。
また、図１には本発明の無線通信装置が携帯型である場合を示したが、本発明の無線通信装置は携帯型に限られず、例えば、固定型や半固定型であってもよい。
【００２２】
図２（ａ）、（ｂ）を参照して、本例の無線通信装置において行われるＬＣＤ１の故障判別処理の手順の一例を示す。
図２（ａ）には、無線通信装置の内部構成の一例として、ＬＣＤ１、ドライバ１１、Ｒｅｇ１２、電流監視部１３、ＭＰＵ（Ｍｉｃｒｏ  Ｐｒｏｃｅｓｓｏｒ  Ｕｎｉｔ）１４を示してある。
本例では、Ｒｅｇ１２から基準電流の入力を受ける電流監視部１３が、ＬＣＤ１の電流状態を監視して、その監視結果をＭＰＵ１４へ報告する。また、ＭＰＵ１４は、ＬＣＤ１のドライバ１１にアクセスして、その状態を監視する。
なお、本例では、電流監視とドライバ監視の組み合わせによりＬＣＤ１の故障判別を実現するが、他の構成例として、いずれか一方の監視のみが用いられる構成とされてもよい。
【００２３】
図２（ｂ）には、ＬＣＤ１の故障判別処理の手順の一例を示してある。
電流監視部１３が電流監視を行い（ステップＳ１）、その判定結果として（ステップＳ２）、例えば基準電流との比較の結果、電流が流れすぎである或いは流れない等といった否定的な結果が得られた場合には、ＭＰＵ１４がＬＣＤ１が故障したと判定する（ステップＳ５）。一方、基準電流との比較の結果、電流の状態が良好であった場合には、ＭＰＵ１４はドライバアクセスを行い（ステップＳ３）、その判定結果として（ステップＳ４）、リードライトできない等といった否定的な結果が得られた場合には、ＬＣＤ１が故障したと判定する（ステップＳ５）。一方、ドライバアクセスの状態が良好であった場合には、再び、電流監視の処理へ戻って（ステップＳ１）、電流監視及びドライバ監視を交互に続行する。
【００２４】
図３には、本例の無線通信装置において行われる、ＬＣＤ１を監視した場合に、ＬＣＤ１の故障の有無に応じて自動でガイダンスを行う処理の手順の一例を示してある。
電流監視部１３及びＭＰＵ１４がＬＣＤ１を監視して（ステップＳ１１）、その判定結果として（ステップＳ１２）、ＬＣＤ１の故障が判定された場合、即ち上記図２（ｂ）のステップＳ５にてＬＣＤ１故障と判定された場合には、例えばＭＰＵ１４は予め設定された各種の状態（無線状態や電池状態等）を読み出して（ステップＳ１３）、読み出した状態をユーザに対して報知するためのガイダンス（例えば、音声によるガイダンス）を自動的に行う（ステップＳ１４）。また、本例では、例えば、タイマーの機能を用いて、ガイダンスの出力周期を制御することが可能である（ステップＳ１５）。
なお、例えば、ＬＣＤ１の故障状態が解消されると、再び、ＬＣＤ１の監視処理へ移行する。
【００２５】
図４には、本例の無線通信装置において行われる、ＬＣＤ１が故障したと判定された後に、ユーザにより所定のキーが押下されるたびに、ＬＥＤ８ａ及び／又は８ｂを点灯させて状態を報知する処理の手順の一例を示してある。
ここで、本例では、この所定のキーとして、状態報知用の専用ボタン４が用いられるが、他の構成例として、任意のキー（ボタン）が用いられてもよい。
【００２６】
例えばＭＰＵ１４がユーザによるキー（ＫＥＹ）の操作を監視し（ステップＳ２１）、その判定結果として（ステップＳ２２）、所定のキーが押された場合には、例えば予め設定された各種の状態（無線状態や電池状態等）を読み出して（ステップＳ２３）、読み出した状態をユーザに対して報知するために、その状態に応じた態様でＬＥＤ８ａ，８ｂを点灯させる（ステップＳ２４）。
その後、再び、キー操作の監視へ移行する。
ここで、ＬＥＤ８ａ，８ｂの点灯の態様と無線通信装置に関する各種の状態とは、予め対応付けられて設定されており、ユーザにも記憶やマニュアルなどにより把握されている。
【００２７】
ここで、無線通信装置の状態（報知内容）としては、無線通信装置に関する種々なものが用いられてもよく、例えば、通信モード、圏内／圏外（同期状態）、電池残量、常設番号、電話帳の内容等を用いることができる。
図５（ａ）、（ｂ）、（ｃ）には、無線通信装置に関する各種の状態の報知内容の例を条件とともに示してある。本例では、音声内容での報知内容を示してある。
【００２８】
具体的には、図５（ａ）では、モードについて、（１）基地局通信モード、（２）直接通信自動モード、（３）直接通信手動モード、（４）専用通信モード、（５）折返し通信モード、を報知内容としている。なお、複数のモードの数や種類などとしては、種々なものが用いられてもよい。
図５（ｂ）では、圏内／圏外について、（１）圏内、（２）圏外、（３）−（報知なし）、を報知内容としている。
図５（ｃ）では、電池残量について、（１）電池残量３、（２）電池残量２、（３）電池残量１、（４）電池残量０、（５）−（報知なし）、を報知内容としている。
【００２９】
また、無線通信装置の状態の報知方法としては、種々なものが用いられてもよく、例えば、スピーカ５からの音声やビープ音、或いは、ＬＥＤ８ａ及び／又は８ｂによる発光などを用いることができる。
また、例えば、ＬＣＤ１の故障が判断され、且つ、状態報知用の専用ボタン４が操作されたことに応じて、状態報知を行う場合には、専用ボタン４の操作態様（例えば、短押し、長押し、連続押し等）に応じて報知内容を切り替える構成が用いられてもよい。
【００３０】
以上のように、本例の無線通信装置では、ＬＣＤ１を用いた画面表示機能（画面表示機能部）を装備しており、その表示画面１に当該無線通信装置の状態（例えば、無線機の状態）を表示する。なお、ＬＣＤ以外の例として、ＴＦＴ（Ｔｈｉｎ  Ｆｉｌｍ  Ｔｒａｎｓｉｓｔｏｒ）等が画面に用いられてもよい。
また、無線通信装置の状態としては、例えば、電源が入っているかどうか、圏内であるか或いは圏外であるか、通信モード（例えば、自営系の無線移動局装置に適用された場合にはその通信モードであり、基地局通信モードであるか或いは直接通信モードであるか）、電池残量、リダイヤルや着信履歴の電話番号、などのうちのいずれか又は複数の組み合わせを用いることができる。
【００３１】
また、本例の無線通信装置では、ＬＣＤ１等の画面表示機能部が故障したかどうかを自動的に判別する機能を装備しており、その故障時には、画面表示機能部を使用せずに、自動で当該無線通信装置の状態を報知する。
ここで、報知の方法としては、例えば、音声による報知、ビープ（ＢＥＥＰ）音などの音による報知、着信音やメロディを使用した報知、ＬＥＤ８ａ，８ｂの色や点滅を使用した報知、バイブレータの振動の周期や種類を使用した報知、などのうちのいずれか又は複数の組み合わせを用いることができる。
【００３２】
また、本例の無線通信装置では、一構成例として、画面表示機能部の故障時に、テンキーなどのような通常のボタン（専用のボタンではないもの）がユーザにより押されるたびにＬＥＤ８ａ及び／又は８ｂを点灯することなどにより当該無線通信装置の状態を報知する構成とすることもできる。具体例としては、無線通信装置が通話圏内に存在する場合にはボタンが押されるたびに青色を点灯し、無線通信装置が通話圏外に存在する場合にはボタンが押されるたびに赤色を点灯する、などが可能である。これにより、ＬＣＤ１の故障時においても、ユーザは、ボタンを操作することができたことを認識することができる。
【００３３】
このように、本例の無線通信装置では、表示画面１の状態（故障の有無）を自動的に判別し、故障と判断した場合には、自動的に当該無線通信装置の状態を報知する。また、表示画面１が故障したと判別された場合には、操作ボタン等が押下されるごとにＬＥＤ８ａ，８ｂ等を点灯する。
従って、本例の無線通信装置では、表示画面１の故障が検出されると、表示画面１以外の機能を用いて、当該無線通信装置の状態が報知されるため、無線通信装置におけるユーザの使い勝手が向上したユニバーサル機能を実現することができ、特に、業務・緊急連絡の用途に好適なものである。
【００３４】
なお、本例の無線通信装置では、当該無線通信装置に関する無線状態や電池状態等の状態を検出する機能により状態検出手段が構成されており、図２に示されるように表示画面１が故障したことを検出する機能により故障検出手段が構成されており、図３に示されるように表示画面１が故障した場合に状態に関する情報を例えばガイダンスにより報知する機能により状態報知手段が構成されている。
【実施例２】
【００３５】
本発明の第２実施例を説明する。
本例では、上記した第１実施例と同様に、無線機の表示画面が故障したときにおける状態報知の態様の例を示す。
従来では、上記した第１実施例に関する場合と同様な問題点があった。具体的には、表示画面としてＬＣＤを使用している無線機があるが、ＬＣＤは、液晶の持つ特性として、温度変化によるコントラスト変化が顕著に現れ、通常、低温時には表示が薄くなり、高温時には表示が濃くなる。このような特性によりＬＣＤの表示が見づらくなるため、ユーザは、無線機を使用する際に、現在どのような状態（例えば、待受け状態、一般通信状態（基地局通信状態）、直接通信状態、圏外、等）にあるのかを見るのが分かりづらかった。
【００３６】
そこで、本例では、このような課題を解消する。
図６には、本発明の一実施例に係る無線機の構成例を示してある。
本例の無線機は、無線信号を送受信するアンテナ１０１、無線信号を周波数変換して信号処理部１０３とインタフェースするＲＦ（Ｒａｄｉｏ  Ｆｅｑｕｅｎｃｙ）部１０２、信号処理部１０３、信号処理部１０３にて変換したアナログ音声信号を出力するスピーカ１０４、音声信号を入力するためのマイク１０５、ユーザの操作により各種の指示や電話番号等を入力する操作部１０６、無線機の状態などを表示するＬＣＤ表示部１０７、温度検出部１０８、無線機の状態を表示するＬＥＤ表示部１０９、無線機の各部を制御する制御部１１０を備えている。
【００３７】
図７には、本例の無線機において制御部１１０によって行われる、ＬＥＤ表示部１０９のＬＥＤを制御する処理の手順の一例を示してある。
まず、電源がオン（ＯＮ）にされた後に、待受け状態であるか否かを確認し（ステップＳ１０１）、そうである場合には、ＬＥＤを赤点灯させる（ステップＳ１０２）。
一方、待受け状態ではなかった場合には、基地局装置との一般通信状態（基地局通信状態）であるか否かを確認し（ステップＳ１０３）、そうである場合には、ＬＥＤを緑点灯させる（ステップＳ１０４）。
【００３８】
一方、一般通信状態ではなかった場合には、無線機同士（例えば、移動局装置同士）の直接通信状態であるか否かを確認し（ステップＳ１０５）、そうである場合には、ＬＥＤを緑点滅させる（ステップＳ１０６）。
一方、直接通信状態ではなかった場合には、圏外状態であるか否かを確認し（ステップＳ１０７）、そうである場合には、ＬＥＤを赤点滅させる（ステップＳ１０８）。
一方、圏外状態ではなかった場合には、再び、待受け状態の確認処理へ戻る（ステップＳ１０１）。
【００３９】
ここで、例えば、業務用無線機の状態としては、上記で例示したもの以外に、専用通信状態、緊急通信状態等もあるが、これらの状態についても、例えば、ＬＥＤの色をオレンジにすること或いは青にすることや、また、点灯状態を変えることにより、区別させて表示することで対応することができる。
【００４０】
このように、本例の無線機では、当該無線機の状態に合わせてＬＥＤの表示状態を変化させることにより、当該無線機（自機）が今どの状態にあるかをユーザに確認させることができる。
ここで、図７では、ＬＥＤの制御について示したが、本例では、例えば、ＬＣＤ表示部１０７の故障が判別された場合、例えば上述した実施例１の方法により故障と判定された場合に、図７に示されるＬＥＤの制御処理が行われる。他の構成例として、ＬＣＤ表示部１０７による状態の表示とＬＥＤによる状態の表示が同時に動作させられるような構成が用いられてもよい。
【００４１】
また、他の構成例として、図７に示されるフローにおいて、「電源ＯＮ」とステップＳ１０１の処理との間に「ＬＥＤ表示モードの設定の受け付け処理」を追加して、ここで、ユーザ等によりＬＥＤ表示モードが設定された場合にはＬＥＤによる状態表示を行い、ユーザ等によりＬＥＤ表示モードが設定されなかった場合にはＬＥＤによる状態表示を行わないようにする構成とすることもできる。
【００４２】
また、ＬＣＤは、温度によりコントラストが変化するため、例えば温度を自動的に検出する機能（本例では、温度検出部１０８）を無線機に備えて、制御部１１０が、検出された温度が所定の温度（第１の閾値）以上若しくは所定の温度（第２の閾値：第１の閾値と異なるが同一の値が用いられてもよい）以下になったことを判定したことに応じて、ＬＥＤ表示モードへ移行して、ＬＥＤによる状態表示を実行するような構成が用いられてもよい。
なお、このように温度変化によりＬＣＤの表示内容が見づらくなる状態を故障状態の一例としてとらえることも可能である。
また、温度と閾値との大小関係の判定では、例えば、「閾値以上」の代わりに「閾値を超えた」を用いてもよく、「閾値以下」の代わりに「閾値未満」を用いてもよい。
【００４３】
以上のように、本例の無線機では、使用状態（例えば、待受け状態、一般通信状態、直接通信状態、圏外、等）に応じてＬＥＤの発光色や発光状態を変化させてユーザ（使用者）に通知することが行われるため、ユーザの使い勝手を良くすることができる。
また、本例の無線機では、例えば、高温時や低温時にＬＣＤのコントラストが変化して見づらくなったような場合においても、手動の設定により或いは自動的に、ＬＥＤ表示により当該無線機が現在どのような状態にあるかがユーザに通知されるため、ユーザの使い勝手を良くすることができる。
【００４４】
なお、本例の無線通信装置（無線機）では、当該無線通信装置に関する無線状態等の状態を検出する機能により状態検出手段が構成されており、表示画面（本例では、ＬＣＤ表示部１０７）が故障したことを検出する（或いは、例えば温度などに基づいて表示画面が故障したとみなして検出する）機能により故障検出手段が構成されており、図７に示されるように表示画面が故障した場合に状態に関する情報を例えばＬＥＤにより報知する機能により状態報知手段が構成されている。
【００４５】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００４６】
１・・表示画面（ＬＣＤ）、  ２・・操作キー、  ３・・プレストークスイッチ、  ４・・状態報知用の専用ボタン、  ５・・スピーカ／レシーバ、  ６・・マイク、  ７・・アンテナ取り付け部、  ８ａ，８ｂ・・ＬＥＤ、  １１・・ドライバ、  １２・・Ｒｅｇ、  １３・・電流監視部、  １４・・ＭＰＵ、
１０１・・アンテナ、  １０２・・ＲＦ部、  １０３・・信号処理部、  １０４・・スピーカ、  １０５・・マイク、  １０６・・操作部、  １０７・・ＬＣＤ表示部、  １０８・・温度検出部、  １０９・・ＬＥＤ表示部、  １１０・・制御部、
２０１・・アンテナ、  ２０２、２０３、２０８・・ＳＷ、  ２０４、２０６、２１９・・ＦＩＬ、  ２０５、２０７・・ＬＮＡ、  ２０９、２１４・・ＶＣＯ、  ２１０・・ＭＩＸ、  ２１１・・ＤＥＭ、  ２１２、２１３・・ＰＬＬ、  ２１５・・ＭＯＤ、  ２１６・・ＡＭＰ、  ２１７・・ＰＡ、  ２１８・・ＩＳＯ、  ２２０、３１２・・電源、  ２２１・・ＴＣＸＯ、  ３０１・・ＲＦ  Ｉ／Ｆ部、  ３０２・・ＦＰＧＡ、  ３０３・・ＤＳＰ、  ３０４・・ＭＰＵ、  ３０５・・ＲｅｓｅｔＩＣ、  ３０６・・音声ＣＯＤＥＣ、  ３０７・・ＦＬＡＳＨメモリ、  ３０８・・ＳＲＡＭ、  ３０９・・Ｃｆｇ  ＲＯＭ、  ３１０・・ＡＩＵ、  ３１１・・フロントパネルＩ／Ｆ、  ４０１・・スピーカ、  ４０２・・レシーバ、  ４０３・・マイク、  ４０４・・ＬＣＤ、  ４０５・・１０キー、  ４０６・・ＳＷ（ＰＴＴ）、  ４０７・・電池パック、
【図１】
2010226160.tif 000003
【図２】
2010226160.tif 000004
【図３】
2010226160.tif 000005
【図４】
2010226160.tif 000006
【図５】
2010226160.tif 000007
【図６】
2010226160.tif 000008
【図７】
2010226160.tif 000009
【図８】
2010226160.tif 000010
【図９】
2010226160.tif 000011
【図１０】
2010226160.tif 000012
【図１１】
2010226160.tif 000013